(57)【要約】【課題】浴槽配管を浴槽に取付けるための取付プレートや配管保持具を別途設ける必要がなく、コストを削減でき、また容易に浴槽配管を固定でき、また断熱材の切欠部分を削減して浴槽の保温性能を向上できる浴槽配管の固定構造を提供する。【解決手段】浴槽１の外側面１ｃに取付けた断熱材５に外側方に開口する凹状の配管保持溝６を形成する。配管保持溝６に浴槽配管２を収納する。配管保持溝６の対向する両側面６ａで浴槽配管２を挟持する。【選択図】図１
2007185373.tif 000002
【特許請求の範囲】
【請求項１】
浴槽の外側面に取付けた断熱材に外側方に開口する凹状の配管保持溝を形成し、配管保持溝に浴槽配管を収納すると共に、配管保持溝の対向する両側面で浴槽配管を挟持することを特徴とする浴槽配管の固定構造。
【請求項２】
上記配管保持溝の溝幅を配管保持溝の底部から開口側に行く程小さくして成ることを特徴とする請求項１に記載の浴槽配管の固定構造。
【発明の詳細な説明】
【技術分野】
【０００１】
本発明は浴槽に接続される浴槽配管の固定構造に関するものである。
【背景技術】
【０００２】
一般的なジェットバス装置の循環路は例えば特許文献１のように浴槽の外側面に沿って配置される配管によって構成される。ところでこのような浴槽の外側面に浴槽廻りの配管（以下浴槽配管と記載する）を配置するものにおいては通常浴槽の外面に断熱材を取付けない。これは浴槽の外側面に断熱材を取付けた場合、浴槽配管を断熱材の外側面に取付ける必要があって、浴槽配管が断熱材の厚み分だけ浴槽の外側に大きく突出してしまう場合があり、この場合、予め工場にて浴槽配管を浴槽に取付け、この後、浴槽配管を取り付けた浴槽を現場に搬送して設置する場合に、浴槽から外側に突出した浴槽配管が浴室壁や建物躯体に干渉してしまうからである。
【０００３】
ここで例えば図４及び図５のように断熱材を浴槽の外面に取付ける方法も考えられる。即ち図に示すように浴槽１の外側面１ｃに取付けた断熱材５の一部を切欠き、この切欠１０から露出した浴槽１の外側面１ｃに取付プレート１１を接着剤１２で貼着し、取付プレート１１に固着したビス１３でインシュロック等の配管保持具１４を固着し、配管保持具１４により浴槽１の外周面に沿う浴槽配管２を保持するのである。
【０００４】
ところで図４及び図５に示すように浴槽配管２を固定した場合、浴槽配管２の固定に取付プレート１１及び配管保持具１４を必要とするのでコストがかかり、また取付プレート１１及び配管保持具１４の取付け作業が面倒であるという問題がある。また断熱材５には浴室配管２の外径よりも大きい幅を有する取付プレート１１や配管保持具１４を収納できる大きさに切欠１０を形成する必要があり、図５のハッチングで示すように切欠１０の幅が浴槽配管２よりもかなり大きくなって浴槽１や浴槽配管２の保温性能が低下してしまうという問題もある。
【特許文献１】特開平８−２２９０８７号公報
【発明の開示】
【発明が解決しようとする課題】
【０００５】
本発明は上記従来の問題点に鑑みて発明したものであって、浴槽配管を浴槽側に近づけた位置に配置でき、しかも浴槽配管を浴槽に取付けるための取付プレートや配管保持具を別途設ける必要がなく、コストを削減でき、また容易に浴槽配管を固定でき、また断熱材の切欠部分を削減して浴槽の保温性能を向上できる浴槽配管の固定構造を提供することを課題とするものである。
【課題を解決するための手段】
【０００６】
上記課題を解決するために本発明に係る浴槽配管の固定構造は、浴槽１の外側面１ｃに取付けた断熱材５に外側方に開口する凹状の配管保持溝６を形成し、配管保持溝６に浴槽配管２を収納すると共に、配管保持溝６の対向する両側面６ａで浴槽配管２を挟持することを特徴とするものである。浴槽配管２を配管保持溝６内に収納することで浴槽１に近づけた位置に配置できる。しかも配管保持溝６の対向する両側面６ａで浴槽配管２を挟持して、浴槽配管２を浴槽１に取付けるための取付プレート１１や配管保持具１４を別途設けることなく固定できる。従ってコストを削減でき、また容易に浴槽配管２を固定でき、また断熱材５の切欠部分を削減して浴槽１の保温性能を向上できる。
【０００７】
また上記配管保持溝６の溝幅Ｌを配管保持溝６の底部から開口側に行く程小さくすることも好ましい。この場合、配管保持溝６の開口縁部で浴槽配管２を抜け出ないように強固に保持できる。
【発明の効果】
【０００８】
本発明では、浴槽配管を浴槽に近づけた位置に配置でき、加えて配管保持溝の対向する両側面で浴槽配管を挟持して、浴槽配管を浴槽に取付けるための取付プレートや配管保持具を別途設けることなく固定できるので、コストを削減でき、また容易に浴槽配管を固定できる。また取付プレートや配管保持具を設ける必要がないので、断熱材の切欠部分を削減できて浴槽の保温性能を向上できる。
【発明を実施するための最良の形態】
【０００９】
以下、本発明を添付図面に示す実施形態に基いて説明する。
【００１０】
本実施形態の浴槽配管２はジェットバス装置における循環路を構成するものである。ジェットバス装置は、図２に示すように浴室に設置される浴槽１の側壁に設けた吸込口３と吹出口４を浴槽配管２で構成された循環路で接続したものであり、循環路の途中に設けたポンプ（図示せず）を運転して浴槽１内の湯水を吸込口３から循環路に吸い込む共に吸い込んだ湯水を吹出口４から浴槽１内にジェット噴流として吹き出せるようになっている。なお図２では後述の配管保持溝６の図示を省略している。
【００１１】
浴槽１の槽本体１ａの外面にはＥＰＳ（発泡スチロール）製の断熱材５を取付けている。断熱材５は槽本体１ａの外側面１ｃ及び下面の略全体を覆うものであり、つまり槽本体１ａの外面の略全体を覆っている。断熱材５の槽本体１ａの外側面１ｃに沿って取り付けた部分は槽本体１ａの上端部に周設したフランジ部１ｂよりも外側に突出しないように平面視でフランジ部１ｂの外周縁よりも内側に位置している。
【００１２】
断熱材５の浴槽１の外側面１ｃを覆う部位（浴槽１とは反対側の面）には浴槽配管２の設置予定箇所に沿って外側方に向けて開口する断面凹状の配管保持溝６を形成してあり、配管保持溝６には浴槽配管２を収納保持できるようになっている。
【００１３】
配管保持溝６は断熱材５の浴槽配管２に対応する部位を浴槽１の外側面１ｃに至るまで切欠いて形成してあり、この切欠から露出した浴槽１の外側面１ｃで配管保持溝６の底部を構成している。なお配管保持溝６は断熱材５の外面側から断熱材５を一部残して切除して形成した溝によって構成しても良く、この場合は配管保持溝６の底部は断熱材５で構成される。
【００１４】
配管保持溝６の長手方向に沿う対向する両側面６ａ（即ち図１のように配管保持溝６が横方向に伸びる場合は上下方向の両側の内側面であり、また縦方向に伸びる場合は横方向の両側の内側面である）は共に浴槽配管２を挟持する挟持面となる。即ち配管保持溝６に浴槽配管２を収納していない状態における配管保持溝６の溝幅Ｌ（即ち浴槽配管２の両側面６ａ間の距離）は浴槽配管２の外径よりも若干小さくしてあり、これにより両側面６ａ間に浴槽配管２を収納した場合には、両側面６ａを浴槽配管２に圧接できるようになっている。、
上記配管保持溝６内に浴槽配管２を収納するには、配管保持溝６の両側面６ａを押し広げて断熱材５を若干弾性変形させつつ、浴槽配管２を配管保持溝６内に圧入し、この時弾性変形した断熱材５の復帰力により配管保持溝６の両側面６ａを浴槽配管２に圧接し、これにより配管保持溝６の両側面６ａで浴槽配管２を挟持する。なお上記浴槽配管２は断熱材５を浴槽１に取付けた後に断熱材５に形成した配管保持溝６に収納されるものとするが、浴槽配管２を浴槽１の外側面１ｃに沿って配置した後、この浴槽配管２を配管保持溝６に収納するように断熱材５を浴槽１の外側面１ｃに取付けても良いものとする。
【００１５】
このように配管保持溝６内に保持した浴槽配管２は断熱材５の外面よりも内側に位置しており、つまり浴槽配管２は平面視で浴槽１のフランジ部１ｂの外周縁よりも内側に位置している。なお浴槽配管２と浴槽１の外側面１ｃは図１のように接触していなくても良いし、接触しても良いものとする。
【００１６】
上記浴槽配管２及び断熱材５は工場にて浴槽１に取付けられ、この浴槽配管２及び断熱材５を取り付けた浴槽１が工場から出荷され、現場で設置されるものであるが、ここで浴槽配管２は前述したように配管保持溝６内に収納されて平面視でフランジ部１ｂから外側に突出しないように配置してあるので、断熱材５及び浴槽配管２を取付けた浴槽１を現場で設置する場合には浴槽配管２が浴室壁や建物躯体に干渉することがない。
【００１７】
また本発明では断熱材５に形成した配管保持溝６の対向する両側面６ａで浴槽配管２を挟持しているので、従来のように浴槽配管２を浴槽１に取付けるための取付プレート１１や配管保持具１４を別途設ける必要がなく、コストを削減でき、また容易に浴槽配管２を固定できる。また取付プレート１１や配管保持具１４を設ける必要がないので、断熱材５に形成する配管保持溝６の溝幅Ｌを浴槽配管２の外径と略同じ寸法とでき、断熱材５の切欠部分を削減して浴槽１の外面において断熱材５によって覆われない部分の面積を小さくでき、これにより浴槽１の保温性能を向上できる。
【００１８】
また図１では配管保持溝６の溝幅Ｌを配管保持溝６の底部から開口側にかけて一定の寸法としたが、図３に示すように配管保持溝６の底部から開口側に行く程小さくしても良い。図３では配管保持溝６の対向する両側面６ａを開口側程他の側面６ａ側に近づくように傾斜する傾斜面としており、これにより配管保持溝６の断面を蟻状に形成している。
【００１９】
このように配管保持溝６の溝幅Ｌを配管保持溝６の底部から開口側に行く程小さくすることで、配管保持溝６で浴槽配管２を抜け出ないように強固に保持できる。また配管保持溝６の開口側の縁の溝幅Ｌは浴槽配管２の外径よりも小さくなるので、浴槽配管２の両側部分を配管保持溝６の開口縁部で覆うことができ、浴槽１及び浴槽配管６の保温性能を一層向上できる。
【図面の簡単な説明】
【００２０】
【図１】本発明の実施の形態の一例の浴槽配管の固定構造を示す要部側断面図である。
【図２】同上の浴槽配管及び断熱材を取り付けた浴槽を示すものであり、（ａ）は側面図、（ｂ）は平面図である。
【図３】他例の浴槽配管の固定構造を示す要部側断面図である。
【図４】従来の浴槽配管の固定構造を示すものであり、要部側断面図である。
【図５】同上の浴槽配管及び断熱材を取り付けた浴槽の側面図である。
【符号の説明】
【００２１】
１  浴槽
１ｃ  外側面
２  浴槽配管
５  断熱材
６  配管保持溝
６ａ  両側面
【図１】
2007185373.tif 000003
【図２】
2007185373.tif 000004
【図３】
2007185373.tif 000005
【図４】
2007185373.tif 000006
【図５】
2007185373.tif 000007